(57)【要約】【課題】  キャビネットの内部にスピーカ４が設置され、該キャビネットには、スピーカ４の前面との対向領域に、１或いは複数の放音孔が開設されている携帯型電子機器において、キャビネットの構造を変えることなく簡易な構成によって、防塵ネットの振動に伴うビビリ音の発生を効果的に抑制する。【解決手段】  本発明に係る携帯型電子機器において、スピーカ４の前面、若しくは該前面と対向するキャビネットの内面には、防塵ネット51と補強シート52を互いに貼り合わせてなる防塵プレート５が設置されており、補強シート52には、スピーカ４からの音波を通過させるべき複数の開口が形成されている。【選択図】      図６
2005318209.tif 000002
【特許請求の範囲】
【請求項１】
キャビネット(１)の内部にスピーカ(４)が設置され、該キャビネット(１)には、スピーカ(４)の前面との対向領域に、１或いは複数の放音孔(21)が開設されている携帯型電子機器において、スピーカ(４)の前面、若しくは該前面と対向するキャビネット(１)の内面には、防塵ネット(51)と補強シート(52)を互いに貼り合わせてなる防塵プレート(５)が設置されており、前記補強シート(52)には、スピーカ(４)からの音波を通過させるべき複数の開口(54)が形成されていることを特徴とする携帯型電子機器。
【請求項２】
前記補強シート(52)は合成樹脂製であって、その中央部を包囲して前記複数の開口(54)が形成されている請求項１に記載の携帯型電子機器。
【請求項３】
防塵プレート(５)の補強シート(52)に形成されている複数の開口(54)の総面積は、キャビネット(１)に開設されている１或いは複数の放音孔(21)の総開口面積よりも大きい請求項１又は請求項２に記載の携帯型電子機器。
【発明の詳細な説明】
【技術分野】
【０００１】
本発明は、携帯電話機の如くキャビネットの内部にスピーカが設置されている携帯型電子機器に関するものである。
【背景技術】
【０００２】
従来、携帯電話機においては、キャビネット内に、着信音や通話相手からの音声を放音するためのスピーカが設置されており、キャビネットには、スピーカ前面との対向領域に、スピーカからの音波を通過させるための複数の放音孔が開設されている。又、キャビネットの内部には、スピーカの前面に密着して、防塵ネットが設置されており、スピーカ内への塵の侵入が阻止されている。
【０００３】
ところで、近年の携帯電話機においては、キャビネットを耳元から離した状態、例えば机上に設置した状態で通話を可能とするハンズフリー機能が装備されており、この様な携帯電話機においては出力の大きなスピーカが搭載されることになる。
【０００４】
携帯電話機においては、スピーカの鳴動によってキャビネットの放音孔を空気が出入りすることになるが、防塵ネットは不織布等から形成されて、空気が通過する際の流動抵抗が大きいため、空気の出入りに伴って防塵ネットが振動し、スピーカ前面に対して衝突を繰り返すことによって、ビビリ音が発生する問題があった。特に大出力のスピーカの場合、この問題は顕著となる。
又、防塵ネットがキャビネットの内面に密着して取り付けられている構造においても、防塵ネットがキャビネット内面に対して衝突を繰り返すことによって、ビビリ音が発生する問題がある。
【０００５】
そこで、防塵ネットがキャビネットの内面に密着して取り付けられている構造において、キャビネットの内面に、防塵ネットの中央部を押し上げる突起を形成して、キャビネット内面と防塵ネットの間に隙間を設けることによって、ビビリ音の発生を抑制する構造が提案されている(特許文献１参照)。
【特許文献１】特許第２８０６８４７号公報［H04R1/00］
【発明の開示】
【発明が解決しようとする課題】
【０００６】
しかしながら、上述の従来の構造においては、キャビネットの内面に突起を形成する必要があるため、金型の構造が複雑となる問題があった。
そこで本発明の目的は、キャビネットの構造を変えることなく簡易な構成によって、防塵ネットの振動に伴うビビリ音の発生を効果的に抑制することが出来る携帯型電子機器を提供することである。
【課題を解決するための手段】
【０００７】
本発明に係る携帯型電子機器においては、キャビネット(１)の内部にスピーカ(４)が設置され、該キャビネット(１)には、スピーカ(４)の前面との対向領域に、１或いは複数の放音孔(21)が開設されている。又、スピーカ(４)の前面、若しくは該前面と対向するキャビネット(１)の内面には、防塵ネット(51)と補強シート(52)を互いに貼り合わせてなる防塵プレート(５)が設置されており、前記補強シート(52)には、スピーカ(４)からの音波を通過させるべき複数の開口(54)が形成されている。
具体的には、前記補強シート(52)は合成樹脂製であって、その中央部を包囲して前記複数の開口(54)が形成されている。
【０００８】
上記本発明の携帯型電子機器においては、容易に屈曲変形し得る防塵ネット(51)に補強シート(52)が貼り合わされて、全体として防塵ネット(51)よりも大きな剛性(屈曲変形に対する抵抗力)を有する防塵プレート(５)が構成されて、キャビネット(１)とスピーカ(４)の間に設置されているので、スピーカ(４)の鳴動に伴って防塵プレート(５)が加振力を受けたとしても殆ど振動することはなく、これによってビビリ音の発生が抑制される。
【０００９】
尚、防塵プレート(５)の補強シート(52)には、スピーカ(４)からの音波を通過させるべき複数の開口(54)が形成されているので、スピーカ(４)からの音波の放出が妨げられることはない。
ここで、補強シート(52)に形成されている複数の開口(54)の総面積を、キャビネット(１)に開設されている１或いは複数の放音孔(21)の総開口面積よりも大きなものとすれば、出力特性に影響はない。
【発明の効果】
【００１０】
本発明に係る携帯型電子機器によれば、キャビネットの構造を変えることなく、防塵ネットに補強シートを貼り合わせただけの簡易な構成によって、防塵ネットの振動に伴うビビリ音の発生を効果的に抑制することが出来る。
【発明を実施するための最良の形態】
【００１１】
以下、本発明を携帯電話機に実施した形態につき、図面に沿って具体的に説明する。
本発明に係る携帯電話機は、図１に示す如く、背面キャビネット半体(２)及び前面キャビネット半体(３)からなる扁平なキャビネット(１)を具え、前面キャビネット半体(３)には、複数の操作キー(11)が配備されると共に、ディスプレイ(12)が設置されている。又、前面キャビネット半体(３)の下端部には送話部(13)が設けられると共に、前面キャビネット半体(３)の上端部には受話部(14)が設けられている。
又、図２に示す如く、背面キャビネット半体(２)には、ハンズフリー機能による通話時の相手の音声や各種着信時の着信報知用のメロディー等を放出するための複数の放音孔(21)が開設されている。
【００１２】
図３に示す如く、背面キャビネット半体(２)の内面には、着信メロディーやハンズフリー通話時の相手音声を放音すべき大出力のスピーカ(４)が、背面キャビネット半体(２)の放音孔(21)へ向けて設置されており、該スピーカ(４)の前面には、防塵プレート(５)が設置されている。
【００１３】
防塵プレート(５)は、図５に示す如く、従来と同様に不織布から形成された防塵ネット(51)と、該防塵ネット(51)に貼り合わされた厚さ約０.１ｍｍのＰＥＴ製の補強シート(52)と、該補強シート(52)の外周部に貼り付けられたリング状の両面粘着テープ(53)とから構成される。
防塵プレート(５)の補強シート(52)は、図６に示す如く十字アーム部(55)と外周リング部(56)からなり、４つの開口(54)が円陣に形成されている。粘着テープ(53)は、補強シート(52)の外周リング部(56)に貼り付けられている。
尚、防塵ネット(51)の４つの開口(54)は、背面キャビネット半体(２)の複数の放音孔(21)の総開口面積よりも大きな総開口面積を有している。
【００１４】
図４に示す如く、背面キャビネット半体(２)の内面には、スピーカ(４)の外径よりも僅かに大きな内径を有する円筒状リブ(22)が突設されており、該円筒状リブ(22)の内側の領域に、前記複数の放音孔(21)が開設されている。
防塵プレート(５)は、前記粘着テープ(53)によって背面キャビネット半体(２)の内面に接着固定される。そして、スピーカ(４)は、その前面を防塵プレート(５)の防塵ネット(51)に密着させて、背面キャビネット半体(２)の円筒状リブ(22)の内側にネジ止め固定される。
【００１５】
上記携帯電話機においては、図５の如く防塵ネット(51)に補強シート(52)が貼り合わされて、全体として防塵ネット(51)よりも大きな剛性(屈曲変形に対する抵抗力)を有する防塵プレート(５)が構成されており、特に図６に示す本実施例の防塵プレート(５)においては、補強シート(52)に４つの大きな開口(54)が形成されているものの、補強シート(52)の十字アーム部(55)が防塵ネット(51)に対して強い腰を与えるので、スピーカ(４)の鳴動に伴って防塵プレート(５)が加振力を受けたとしても殆ど振動することはなく、これによってビビリ音の発生が抑制される。
【００１６】
又、本発明に係る携帯電話機によれば、その組立工程において図４の如く背面キャビネット半体(２)の内面に防塵プレート(５)を設置する際、防塵プレート(５)は強い腰を有して容易に屈曲変形しないので、背面キャビネット半体(２)に対する貼り付け作業が容易となる。
【００１７】
尚、本発明の各部構成は上記実施の形態に限らず、特許請求の範囲に記載の技術的範囲内で種々の変形が可能である。例えば、防塵プレート(５)の補強シート(52)は、図６に示す形状に限らず、防塵ネット(51)の変形に対して抵抗を与えることが可能な種々の形状を採用することが出来る。
又、防塵プレート(５)は、スピーカ(４)の前面に密着させて設置する構成に限らず、背面キャビネット半体(２)の内面に密着させて設置する構成も採用可能である。
【図面の簡単な説明】
【００１８】
【図１】本発明に係る携帯電話機の前面を示す斜視図である。
【図２】該携帯電話機の背面を示す斜視図である。
【図３】背面キャビネット半体に対するスピーカ及び防塵プレートの取り付け構造を示す断面図である。
【図４】同上構造を示す分解斜視図である。
【図５】防塵プレートの拡大断面図である。
【図６】防塵プレートの拡大裏面図である。
【符号の説明】
【００１９】
(１)  キャビネット
(２)  背面キャビネット半体
(３)  前面キャビネット半体
(４)  スピーカ
(５)  防塵プレート
(51)  防塵ネット
(52)  補強シート
(53)  粘着テープ
【図１】
2005318209.tif 000003
【図２】
2005318209.tif 000004
【図３】
2005318209.tif 000005
【図４】
2005318209.tif 000006
【図５】
2005318209.tif 000007
【図６】
2005318209.tif 000008